(57)【要約】【課題】本発明は、薬剤投与監視器と、それを用いた薬剤投与装置に関するもので、薬剤の適切な効用を発揮させることを目的とするものである。【解決手段】そしてこの目的を達成するために本発明は、一端側に、インスリンポンプ２の薬剤投与口に接続される薬剤流入口２６、他端側に、針１７の薬剤注入口に接続される薬剤流出口２７を有する薬剤流路２８と、この薬剤流路２８を流れる薬剤の流量を検出する流量センサ２９と、この流量センサ２９に接続した制御部３２と、この制御部３２に接続した通信部３５とを備え、前記薬剤流路２８には、薬剤排出流路２７Ａを接続し、この薬剤排出流路２７Ａには、流路切替部３４を設けた。【選択図】図４
2013094473.tif 000002
【特許請求の範囲】
【請求項１】
一端側に、薬剤投与器の薬剤投与口に接続される薬剤流入口、他端側に、薬剤注入針の薬剤注入口に接続される薬剤流出口を有する薬剤流路と、この薬剤流路を流れる薬剤の流量を検出する流量センサと、この流量センサに接続した制御部と、この制御部に接続した第１の通信部とを備え、
前記薬剤流路には、薬剤排出流路を接続し、この薬剤排出流路には、流路切替器を設けた薬剤投与監視器。
【請求項２】
流量センサは、薬剤流路の薬剤排出経路下流側に設けた請求項１に記載の薬剤投与監視器。
【請求項３】
流量センサは、薬剤流路の薬剤排出経路上流側に設けた請求項１に記載の薬剤投与監視器。
【請求項４】
流量センサは、薬剤流路の薬剤排出経路上流側と下流側に設けた請求項１に記載の薬剤投与監視器。
【請求項５】
流量センサには、流量監視部を接続し、この流量監視部は、間欠駆動部を接続した請求項１から４のいずれか一つに記載の薬剤投与監視器。
【請求項６】
生体情報測定器と、この生体情報測定器から薬剤投与量が指示される薬剤投与器と、この薬剤投与器に接続される請求項１から５のいずれか一つに記載の薬剤監視器とを備えた薬剤投与装置。
【請求項７】
生体情報測定器は、前記薬剤投与器と前記薬剤監視器に薬剤投与量を指示する第２の通信部と、前記薬剤投与器と前記薬剤監視器の少なくとも一方からの警告を表示させる表示部とを有する構成とした請求項６に記載の薬剤投与装置。
【請求項８】
薬剤監視器は、前記生体情報測定器の表示部に、薬剤投与量の過多または過少を表示させる構成とした請求項７に記載の薬剤投与装置。
【発明の詳細な説明】
【技術分野】
【０００１】
本発明は、薬剤投与監視器と、それを用いた薬剤投与装置に関するものである。
【背景技術】
【０００２】
従来の薬剤投与装置の構成は、以下のような構成となっていた。
【０００３】
すなわち、生体情報測定器と、この生体情報測定器から薬剤投与量が指示される薬剤投与器とを設けた構成となっていた（例えば、これに類似する先行文献として下記特許文献１が存在する）。
【０００４】
たとえば、前記生体情報測定器が血糖値を測定するものであった場合には、この生体情報測定器で測定した血糖値に応じて、薬剤投与器から投与するインスリンの投与量が指示されるようになっていた。
【先行技術文献】
【特許文献】
【０００５】
【特許文献１】特表２０１０−５１１４３０号公報
【発明の概要】
【発明が解決しようとする課題】
【０００６】
上記従来例において、例えば、前記生体情報測定器が血糖値を測定するものであった場合には、この生体情報測定器で測定した血糖値に応じて、薬剤投与器から投与するインスリンの投与量が指示されるようになっていた。
【０００７】
しかしながら、薬剤投与器を誤って落下させてしまったり、あるいは、長期使用による部品劣化が発生してしまったりした場合には、生体情報測定器から指示された量のインスリンを投与することができず、その結果として、薬剤の適切な効用を発揮させることができなくなることがあった。
【０００８】
そこで本発明は、薬剤の適切な効用を発揮させることを目的とするものである。
【課題を解決するための手段】
【０００９】
そして、この目的を達成するために本発明は、一端側に、薬剤投与器の薬剤投与口に接続される薬剤流入口、他端側に、薬剤注入針の薬剤注入口に接続される薬剤流出口を有する薬剤流路と、この薬剤流路を流れる薬剤の流量を検出する流量センサと、この流量センサに接続した制御部と、この制御部に接続した第１の通信部とを備え、前記薬剤流路には、薬剤排出流路を接続し、この薬剤排出流路には、流路切替部を設けた構成とし、これにより所期の目的を達成するものである。
【発明の効果】
【００１０】
以上のように本発明は、一端側に、薬剤投与器の薬剤投与口に接続される薬剤流入口、他端側に、薬剤注入針の薬剤注入口に接続される薬剤流出口を有する薬剤流路と、この薬剤流路を流れる薬剤の流量を検出する流量センサと、この流量センサに接続した制御部と、この制御部に接続した第１の通信部とを備え、前記薬剤流路には、薬剤排出流路を接続し、この薬剤排出流路には、流路切替部を設けたものであるので、薬剤の適切な効用を発揮させることができる。
【００１１】
すなわち、本発明においては、薬剤流路の一端側に設けた薬剤流入口を薬剤投与器の薬剤投与口に接続し、また、他端側の薬剤流出口は、薬剤注入針の薬剤注入口に接続したものであるので、薬剤投与器から薬剤注入針に供給される薬剤の投与量を流量センサで検出することができる。つまり、薬剤の投与量を、薬剤投与器のみならず、この薬剤監視器によって検出することとなるので、薬剤の適切な投与が行え、その結果として、薬剤の適切な効用を発揮させることができるのである。
【００１２】
また、本発明においては、前記薬剤流路には、薬剤排出流路を接続し、この薬剤排出経路には、流路切替部を設けたものであるので、薬剤投与器からの投与量が過多の状態時には、薬剤を薬剤流出路を介して薬剤流路外に排出することができ、この点からも、薬剤の適切な投与が行え、その結果として、薬剤の適切な効用を発揮させることができるのである。
【図面の簡単な説明】
【００１３】
【図１】本発明の一実施形態に係る薬剤投与装置の図
【図２】同、生体情報測定器の制御ブロック図
【図３】同、薬剤投与器の制御ブロック図
【図４】同、薬剤投与監視器の断面図
【図５】同、薬剤投与監視器の制御ブロック図
【図６】同、薬剤投与監視器で監視するインスリンの監視量を示す図
【図７】同、薬剤投与監視器の動作フローチャート
【図８】同、薬剤投与監視器の動作フローチャート
【図９】同、生体情報測定器の表示を示す図
【図１０】（ａ）同、生体情報測定器の表示を示す図（ｂ）同、薬剤投与器の表示を示す図
【図１１】同、生体情報測定器の表示を示す図
【発明を実施するための形態】
【００１４】
以下、本発明の一実施形態を、添付図面を用いて説明する。
【００１５】
（実施の形態１）
図１において、１は血液から血糖値を測定する測定器（生体情報測定器の一例）で、測定した血糖値に応じたインスリンの投与量を、インスリンポンプ２（薬剤投与器の一例）に指示するものである。
【００１６】
インスリンポンプ２は、指示されたインスリンの投与量を患者に投与するものである。
【００１７】
このインスリンポンプ２には、インスリン監視器３（薬剤投与監視器の一例）が接続され、このインスリン監視器３が、インスリンポンプ２によって患者に投与されるインスリンの投与量を監視するようになっている。
【００１８】
本実施形態においては、測定器１、インスリンポンプ２、インスリン監視器３により、薬剤投与装置を形成している。
【００１９】
まず、測定器１について説明する。
【００２０】
測定器１の上面には、表示部４が設けられており、測定器１の先端側にはセンサ装着部５が設けられている。そして、このセンサ装着部５に、長板形状の血糖値センサ６の接続端子７を装着し、その状態で、血糖値センサ６の接続端子７とは反対側端部に設けた点着部８に血液を点着すれば、その時の血糖値が測定され表示部４に表示されるようになっている。
【００２１】
この測定器１の制御ブロック図を図２に示す。
【００２２】
この図２に示すごとく、測定器１の表示部４、センサ装着部５は、制御部９に接続されている。この制御部９には、センサ装着部５に装着される血糖値センサ６（図１）の血糖値を測定する測定部１０が接続され、さらに、この測定部１０で測定した血糖値に応じたインスリンの投与量を算出する投与量算出部１１が接続されている。
【００２３】
また、制御部９には、投与量算出部１１が算出したインスリンの投与量を、図１のインスリンポンプ２およびインスリン監視器３に送信する通信部１２が接続されている。さらに、この制御部９には電池１３が接続されている。
【００２４】
つぎに、インスリンポンプ２について、図１、図３、図４を用いて説明する。
【００２５】
図１のインスリンポンプ２の内部には、インスリンの入った薬剤シリンジ１４（図３）が薬剤シリンジ装着部１５（図３）に着脱自在に装着されており、図１に示すごとく、この薬剤シリンジ装着部１５に接続されたチューブ１６、針１７（薬剤注入針の一例）を介して、薬剤シリンジ１４内のインスリンを患者に投与するようになっている。
【００２６】
なお、針１７は、患者の腹やお腹の皮下脂肪に差し入れており、インスリンポンプ２は、微量のインスリンを２４時間、自動的に投与し続けることができる。
【００２７】
図３は、インスリンポンプ２のブロック図を示している。
【００２８】
この図３に示すごとく、測定器１と通信を行う通信部１８が、制御部１９に接続されている。この制御部１９には、測定器１から通信により受け取ったインスリンの投与量等を記憶する記憶部２０が接続され、さらに、このインスリンの投与量に応じたインスリンを投与するためのモータ２１が接続されている。
【００２９】
このモータ２１には、薬剤シリンジ１４が装着される薬剤シリンジ装着部１５が接続されており、この薬剤シリンジ装着部１５は、薬剤投与口２ａ（図１）に接続されている。さらに、この薬剤投与口２ａには、図１に示すごとく、チューブ１６が接続されている。なお、薬剤シリンジ１４は、たとえば円筒形のシリンジ（図示せず）と、可動式のプランジャ（図示せず）によって構成され、モータ２１がプランジャを操作することにより、シリンジ内に封入したインスリンをチューブ１６に送出する。
【００３０】
また、電池２２、電源スイッチ２３、表示部２４が、制御部１９に接続されている。
【００３１】
再び図１に戻って、本実施形態におけるインスリン監視器３（薬剤投与監視器の一例）について説明する。
【００３２】
インスリン監視器３は、図１に示すごとく、インスリンポンプ２と針１７を繋ぐチューブ１６の中程に設けられている。
【００３３】
図４は、インスリン監視器３の断面図で、このインスリン監視器３は本体ケース２５を有している。この本体ケース２５内には、その一端側に、チューブ１６を介して、インスリンポンプ２の薬剤投与口２ａに接続される薬剤流入口２６を有し、他端側に、針１７（薬剤注入針の一例）の薬剤注入口１７ａ（図１）に接続される薬剤流出口２７を有する薬剤流路２８を備えている。
【００３４】
なお、この薬剤流路２８は、中空の円筒状にチューブ１６と同じ材料で形成されており、チューブ１６と連結されている。インスリンは、この薬剤流路２８を流れる。
【００３５】
また、本体ケース２５内には、薬剤流路２８を流れるインスリン（薬剤の一例）の流量を検出する流量センサ２９を設けている。
【００３６】
ここで本実施形態においては、この図４に示すごとく、薬剤流路２８には、薬剤排出流路２７Ａを接続し、この薬剤排出流路２７Ａと薬剤流路２８との接続部に流路切替器３０を設けている。なお、この薬剤排出流路２７Ａは、中空の円筒状にチューブ１６と同じ材料で形成されている。
【００３７】
また、上述した流量センサ２９を、薬剤流路２８の薬剤排出流路２７Ａの下流側（つまり、薬剤流出口２７側）に設けている。
【００３８】
この流量センサ２９は、非接液型の電磁式流量センサで、磁場中を流れる導電性流体が発生させる電圧を測定することで、流量を測定するものである。つまり、図４に示すごとく、２つの流量センサ２９で、薬剤流路２８を形成するチューブ１６の外側から、このチューブ１６を挟み込み、この挟み込み部分に磁場を発生させる。この磁場内のチューブ１６の薬剤流路２８をインスリンが流れると、電圧が発生するため、この電圧を、流量センサ２９が測定することによりインスリンの流量が測定される。
【００３９】
図５は、インスリン監視器３の制御ブロック図を示し、流量センサ２９は、流量監視部３１を介して制御部３２に接続され、流量監視部３１には、この流量監視部３１を間欠駆動する間欠駆動部３３が接続されている。
【００４０】
また、流路切替器３０は、流路切替部３４を介して制御部３２に接続されている。
【００４１】
なお、制御部３２には、測定器１と通信を行う通信部３５が接続され、さらに、電池３６が接続されている。
【００４２】
以上の構成において、以下、測定器１、インスリンポンプ２、インスリン監視器３の動作を、図１、図５、図６、および図７のフローチャートを用いて説明する。
【００４３】
まず、インスリンポンプ２によるインスリンの投与方法には２種類あって、それぞれ、バザル（常時投与）、ボーラス（一時的投与）と呼ぶ。図６は、これらバザルとボーラスを説明するための図である。
【００４４】
まず、バザル（図６のＡ）は、インスリンを少量ずつ常時（たとえば２４時間）投与する方法であり、これは、健康な人の基礎分泌にあたるものである。
【００４５】
一方、ボーラス（図６のＢ）は、食後の血糖値が上昇した時に、所定量のインスリンを一時的に投与する方法であり、これは、健康な人の追加分泌にあたるものである。
【００４６】
そして、これらバザルとボーラスでは、インスリンをユニット単位で患者に投与する。
【００４７】
このユニットとは、インスリンの投与量を示す単位であり、インスリン・カーボ（カーボとは炭水化物量を表し、たとえば１カーボ＝炭水化物１０グラム）比に、食事による炭水化物量を乗じたものがインスリンの投与量となる。なお、このインスリン・カーボ比の値は、人によって異なる。
【００４８】
具体的に一例を示すと、インスリン・カーボ比が１．５の人が、２００グラム（＝２０カーボ）の炭水化物の食事をした時には、１．５（インスリン・カーボ比）×２０（カーボ）＝３０ユニットのインスリンの投与が必要になる。
【００４９】
まず、インスリンポンプ２の投与方法がバザル（常時投与）の時の説明を、図７のフローチャートを用いて説明する。
【００５０】
このバザル時においては、あらかじめ、患者の操作によってインスリン投与量がインスリンポンプ２に指示されている。たとえば、図９に示すごとく、測定器１の表示部４にインスリン投与量が（インスリン投与量  ０．２５Ｕ）と表示され、このインスリン投与量を、患者がインスリンポンプ２に指示するのである。
【００５１】
この指示されたインスリン投与量は、測定器１の通信部１８、制御部１９を介してインスリンポンプ２、およびインスリン監視器３に通信する。今回は、たとえば、１時間当たり０．２５ユニットで患者にインスリンを投与する。
【００５２】
インスリンポンプ２では、図３の通信部１８を介してこのインスリンの投与量を受け取り、記憶部２０に格納する。
【００５３】
そして投与の時には、インスリンポンプ２の制御部１９は、インスリンの投与量に応じた送り出し量（つまり、時間当たりの投与量）を算出し、この算出量にしたがってモータ２１を制御する。モータ２１は、薬剤シリンジ装着部１５に装着した薬剤シリンジ１４のプランジャ（図示せず）を操作することにより、シリンジ内に封入したインスリンをチューブ１６に、送出開始する。
【００５４】
一方、インスリン監視器３では、測定器１が送信したインスリンの投与量を、通信部３５、制御部３２を介して、流量監視部３１が受け取る。
【００５５】
そして、この流量監視部３１は、インスリンの投与量を受け取ることにより、インスリンポンプ２によりボーラスの投与が開始されたと判断し、監視開始を間欠駆動部３３に通知して、図７のＳ１から監視処理を開始する。
【００５６】
インスリンポンプ２がバザル（常時投与）でインスリンの投与を開始すると、インスリン監視器３が、インスリン投与量の監視を開始する。この時、インスリン監視器３は、インスリンポンプ２による投与方法がバザルかボーラス（一時的投与）かの判断を行う。この判断は、上述したごとく、測定器１が送信するインスリンの投与量により行う（図７のＳ２）。
【００５７】
このバザルの監視においては、図５の間欠駆動部３３が所定の監視間隔（たとえば、バザルの監視においては１分間に１回）ごとに、流量監視部３１を用いて流量センサ２９の値を確認する。そして、このようにして所定の監視間隔毎に測定した流量を積算していく（図７のＳ３）。
【００５８】
つぎに、流量監視部３１は、この積算量をもとに、単位時間当たりの流量が規定範囲内であるか否かを判断する（図７のＳ４）。
【００５９】
もし、単位時間当たりの流量が規定範囲よりも大きい時には、インスリンポンプ２によるインスリンの投与量が過多であるので、インスリン監視器３の制御部３２は、通信部３５を用いて、測定器１にインスリンの投与量の過多を通知する。この過多通知を、測定器１では、通信部１２を介して制御部９が受け取り、たとえば図１０（ａ）に示すごとく、測定器１の表示部４に（インスリン投与エラー  インスリンポンプの状態を確認ください）と表示して、患者にインスリン投与の過多を知らせる。
【００６０】
この表示を見た患者は、インスリンポンプ２を操作して、このエラー状態を解除する。
【００６１】
さらに、インスリン監視器３の制御部３２は、通信部３５を用いてインスリンポンプ２にインスリンの投与量の過多を通知する。この過多通知を、インスリンポンプ２では、通信部１８を介して制御部１９が受け取り、たとえば図１０（ｂ）に示すごとく、インスリンポンプ２の表示部２４に（インスリン投与エラー  インスリンポンプの状態を確認ください）と表示する。
【００６２】
つまり、患者は、測定器１の表示だけでなく、このインスリンポンプ２の表示でも、バザル時におけるインスリンの投与量の過多を知ることが出来る。その後、患者は、インスリンポンプ２を操作して、このエラー状態を解除する（図７のＳ５）。
【００６３】
なお、図７のＳ５処理が終了した後は、図７のＳ２に処理を戻す。
【００６４】
一方、図７のＳ４において、流量監視部３１が、単位時間当たりの流量が規定範囲内であると判断した時には、図７のＳ２に処理を戻して、インスリンポンプ２の状態がバザルであるかボーラスであるかを再び判断し、インスリンの投与量の監視を継続することとなる。
【００６５】
次に、インスリンポンプ２の投与方法がボーラス（一時的投与）の時の説明を行う。
【００６６】
まず、図７のＳ１でインスリン監視器３による監視が開始される。この時、上述したごとく、通常状態においては、バザルの監視が実施されている。
【００６７】
ここで、たとえば、患者が食事を行った後などでは、血糖値が上昇するため、ボーラスの投与が行われることになる。
【００６８】
具体的に一例を示すと、図１において、上述したごとく、測定器１の測定部１０（図２）で患者の血糖値が測定され、この血糖値に応じたインスリンの投与量が投与量算出部１１（図２）により算出され、たとえば図１１に示すごとく、表示部４に（インスリン投与量  ３０Ｕ）と表示される。
【００６９】
次に、患者の操作により、測定器１は、通信部１２を用いて、算出したインスリンの投与量を、インスリンポンプ２、およびインスリン監視器３に通信する。
【００７０】
インスリンポンプ２では、図３の通信部１８を介してこのインスリンの投与量を受け取り、記憶部２０に格納する。制御部１９は、インスリンの投与量に応じた送り出し量（つまり、時間当たりの投与量）を算出し、この算出量にしたがってモータ２１を制御する。モータ２１は、薬剤シリンジ装着部１５に装着した薬剤シリンジ１４のプランジャ（図示せず）を操作することにより、シリンジ内に封入したインスリンをチューブ１６に、送出開始する。
【００７１】
一方、インスリン監視器３では、測定器１が送信したインスリンの投与量を、通信部３５を介して、流量監視部３１が受け取る。
【００７２】
そして、この流量監視部３１は、インスリンの投与量を受け取ることにより、インスリンポンプ２によりボーラスの投与が開始されたと判断し、監視開始を間欠駆動部３３に通知して（図７のＳ２）、図８のＳ１から監視処理を開始する。
【００７３】
図８は、このボーラスの監視処理を示すフローチャートである。
【００７４】
図８のＳ１において、インスリン監視器３はボーラスが開始されるのを待つ。
【００７５】
具体的には、間欠駆動部３３が、一定期間ごとに流量監視部３１に対して監視指示を出し、この監視指示に従って、流量監視部３１は、インスリンポンプ２がチューブ１６に送出するインスリン量を、流量センサ２９を用いて監視する。
【００７６】
このボーラスの監視においては、図５の間欠駆動部３３が、流量監視部３１のボーラスの監視間隔を、バザルの監視間隔（たとえば、１分間に１回）よりも短くし、たとえば、１秒間に１回とする。
【００７７】
そして、この所定の監視間隔（たとえば、１秒間に１回）ごとに、間欠駆動部３３が流量監視部３１を用いて流量センサ２９の値を確認する。この時、直前の値に比べ、測定値が急激に大きくなった時には、流量監視部３１は、ボーラスが開始されたと判断する。
【００７８】
さらに、間欠駆動部３３が、所定の監視間隔（たとえば、１秒間に１回）ごとに、流量監視部３１を用いて流量センサ２９の値を確認し、その流量を積算していく（図８のＳ２）。
【００７９】
流量監視部３１は、この流量の積算量を用いて、投与量の過多を判断する（図８のＳ３）。具体的には、所定時間当たりの積算量が所定値を超えた時には、投与量は過多であると判断し、制御部３２に投与量の過多を通知する。この過多通知を受けた制御部３２は、流路切替部３４を用いて流路切替器３０を操作し、図４の薬剤流路２８の流路を、薬剤流出口２７側から薬剤排出流路２７Ａへと切り換える（図８のＳ４）。
【００８０】
このため、インスリンは、インスリン監視器３外へと排出され、患者の体内に過多なインスリンが投与されることがない。したがって、薬剤の適切な投与が行えるものとなり、その結果として、薬剤の適切な効用を発揮させることができる。
【００８１】
次に、インスリン監視器３の制御部３２は、通信部３５を用いて測定器１にインスリンの投与量の過多を通知する。この過多通知を、測定器１では、通信部１２を介して制御部９が受け取り、たとえば図１０（ａ）に示すごとく、測定器１の表示部４に（インスリン投与エラー  インスリンポンプの状態を確認ください）と表示し、患者にインスリン投与の過多を知らせる（図８のＳ５）。
【００８２】
この表示を見た患者は、インスリンポンプ２を操作して、このエラー状態を解除することとなる（図８のＳ６）。
【００８３】
図８のＳ３で、投与量が過多で無い時には、流量監視部３１は、ボーラスが終了したか否かを判断する。この判断は、現在の流量センサ２９の測定値と、直前の流量センサ２９の測定値とを比較して行われ、その差が所定値以内の時には、ボーラスは継続中と判断し、図８のＳ２に戻り、監視を継続する（図８のＳ７）。
【００８４】
一方、測定値の差が所定値以上の時（つまり、現在の測定値が直前の測定値よりも急激に小さくなった時）には、流量監視部３１は、ボーラスが終了したと判断する。
【００８５】
その後、流量監視部３１は、ボーラスが適切に実施されたか否かを判断する。つまり、インスリンの投与量が過少であったか否かを判断する。
【００８６】
もし、流量の積算量が規定値以下である時には、流量監視部３１は、ボーラスは不適切であり、インスリンの投与量が過少であったと判断する（図８のＳ８）。
【００８７】
そして、インスリン監視器３の制御部３２は、通信部３５を用いて測定器１にインスリンの投与量の過少を通知する。この過少通知を、測定器１では、通信部１２を介して制御部９が受け取り、たとえば図１０（ａ）に示すごとく、測定器１の表示部４に（インスリン投与エラー  インスリンポンプの状態を確認ください）と表示し、患者にインスリン投与の過少を知らせる（図８のＳ９）。
【００８８】
この表示を見た患者は、インスリンポンプ２を操作して、このエラー状態を解除することとなる（図８のＳ１０）。
【００８９】
なお、図８のＳ８で、投与量が過少で無い時には、図７のＳ２に処理を戻し、インスリンポンプ２の状態がバザルであるかボーラスであるかを再び判断し、インスリンの投与量の監視を継続することとなる。
【００９０】
以上説明したごとく、本実施形態においては、インスリンポンプ２の投与量を、インスリンポンプ２のみならず、インスリン監視器３によって検出することとなるので、インスリンの適切な投与が行え、その結果として、薬剤の適切な効用を発揮させることができるのである。
【００９１】
また、本実施形態においては、前記薬剤流路２８には、薬剤排出流路２７Ａを接続し、この薬剤排出流路２７Ａには、流路切替器３０を設けたものであるので、インスリンポンプ２からの投与量が過多の時には、インスリンを薬剤排出流路２７Ａを介して薬剤流路２８外に排出することができ、この点からも、インスリンの適切な投与が行え、その結果として、薬剤の適切な効用を発揮させることができるのである。
【００９２】
さらに、本実施形態においては、図４に示すごとく、上述した流量センサ２９は、流路切替器３０よりも薬剤流路２８の薬剤排出経路の下流側（つまり、薬剤流出口２７側）に設けた構成としている。
【００９３】
この構成によれば、上述の薬剤排出流路２７Ａへの切り換えを確実に検知できるものとなる。
【００９４】
すなわち、流路切替器３０が、薬剤流路２８の流路を、薬剤流出口２７側から薬剤排出流路２７Ａへと切り換えた時には、薬剤流出口２７側へはもはやインスリンは流入しないのであるが、この状態を、薬剤流出口２７側に設けた流量センサ２９を用いて、インスリン監視器３の制御部３２が検知することができるのである。
【００９５】
さらにまた、図４において、上述した流量センサ２９を、流路切替器３０よりも薬剤流路２８の薬剤排出経路の上流側（つまり、薬剤流入口２６側）に設けてもよい。
【００９６】
この構成によれば、インスリンの投与停止を確実に検知できるものとなる。
【００９７】
すなわち、流路切替器３０が、薬剤流路２８の流路を薬剤排出流路２７Ａへと切り換えた後には、上述したごとく、患者がインスリンポンプ２を操作して、このエラー状態を解除し、インスリンの投与を停止する。この状態を、薬剤流入口２６側に設けた流量センサ２９を用いて、インスリン監視器３の制御部３２が検知することができるのである。
【００９８】
さらに、上述した流量センサ２９を、流路切替器３０よりも薬剤流路２８の薬剤排出経路の上流側（つまり、薬剤流入口２６側）と、流路切替器３０よりも薬剤流路２８の薬剤排出経路の下流側（つまり、薬剤流出口２７側）の双方に設けた構成としてもよい。
【００９９】
この構成によれば、上述したごとく、薬剤排出流路２７Ａへの切り換えを確実に検知できるとともに、インスリンの投与停止を確実に検知できるものとなる。
【０１００】
その結果として、薬剤の適切な効用を発揮させることができるのである。
【０１０１】
さらに本実施形態においては、測定器１は、インスリン監視器３からの警告を、表示部４に表示させる構成としたが、インスリンポンプ２にも流量監視部（図示せず）を設けるとともに、この流量監視部が、たとえばモータ２１の制御量からインスリンの投与量を算出して測定器１へ投与量の過多あるいは過少を通知し、この過多通知あるいは過少通知を、測定器１の表示部４に表示させる構成にしてもよい。
【０１０２】
この構成によれば、測定器１は、インスリンポンプ２とインスリン監視器３の双方、もしくは、少なくとも一方からの過多通知あるいは過少通知を、表示部４に表示させることができるので、より安全に配慮して、薬剤の適切な効用を発揮させることができる。
【０１０３】
その結果として、薬剤の適切な効用を発揮させることができる。
【産業上の利用可能性】
【０１０４】
以上のように本発明は、一端側に、薬剤投与器の薬剤投与口に接続される薬剤流入口、他端側に、薬剤注入針の薬剤注入口に接続される薬剤流出口を有する薬剤流路と、この薬剤流路を流れる薬剤の流量を検出する流量センサと、この流量センサに接続した制御部と、この制御部に接続した第１の通信部とを備え、前記薬剤流路には、薬剤排出流路を接続し、この薬剤排出流路には、流路切替部を設けたものであるので、薬剤の適切な効用を発揮させることができる。
【０１０５】
すなわち、本発明においては、薬剤流路の一端側に設けた薬剤流入口を薬剤投与器の薬剤投与口に接続し、また、他端側の薬剤流出口は、薬剤注入針の薬剤注入口に接続したものであるので、薬剤投与器から薬剤注入針に供給される薬剤の投与量を流量センサで検出することができる。つまり、薬剤の投与量を、薬剤投与器のみならず、この薬剤監視器によって検出することとなるので、薬剤の適切な投与が行え、その結果として、薬剤の適切な効用を発揮させることができるのである。
【０１０６】
また、本発明においては、前記薬剤流路には、薬剤排出流路を接続し、この薬剤排出経路には、流路切替部を設けたものであるので、薬剤投与器からの投与量が過多の状態時には、薬剤を薬剤流出路を介して薬剤流路外に排出することができ、この点からも、薬剤の適切な投与が行え、その結果として、薬剤の適切な効用を発揮させることができるのである。
【符号の説明】
【０１０７】
１  測定器（生体情報測定器の一例）
２  インスリンポンプ（薬剤投与器の一例）
２ａ  薬剤投与口
３  インスリン監視器（薬剤投与監視器の一例）
４  表示部
５  センサ装着部
６  血糖値センサ
７  接続端子
８  点着部
９  制御部
１０  測定部
１１  投与量算出部
１２  通信部
１３  電池
１４  薬剤シリンジ
１５  薬剤シリンジ装着部
１６  チューブ
１７  針
１７ａ  薬剤注入口
１８  通信部
１９  制御部
２０  記憶部
２１  モータ
２２  電池
２３  電源スイッチ
２４  表示部
２５  本体ケース
２６  薬剤流入口
２７  薬剤流出口
２７Ａ  薬剤排出流路
２８  薬剤流路
２９  流量センサ
３０  流路切替器
３１  流量監視部
３２  制御部
３３  間欠駆動部
３４  流路切替部
３５  通信部
３６  電池
【図１】
2013094473.tif 000003
【図２】
2013094473.tif 000004
【図３】
2013094473.tif 000005
【図４】
2013094473.tif 000006
【図５】
2013094473.tif 000007
【図６】
2013094473.tif 000008
【図７】
2013094473.tif 000009
【図８】
2013094473.tif 000010
【図９】
2013094473.tif 000011
【図１０】
2013094473.tif 000012
【図１１】
2013094473.tif 000013